(57)【要約】 【課題】風呂回路の凍結防止運転中に風呂ポンプの騒音増加を防止できる風呂装置を提供する。【解決手段】  風呂回路１１の凍結防止運転では風呂ポンプ９の回転数を設定して凍結防止運転を行い、自動風呂運転又は追い焚き運転では風呂ポンプ９の駆動電圧を設定して自動風呂運転又は追い焚き運転を行うので、凍結防止運転では、風呂ポンプ９を駆動しても循環水流が検知されない時に風呂ポンプ９の回転数が上昇せず、風呂ポンプ９の回転数が上昇することによる騒音が大きくなることがなく、又凍結防止運転中の風呂回路１１を循環する循環水量が増加しないので、風呂回路１１を循環する循環水量が増加することによる浴槽５の湯温低下を防止できるものである。【選択図】図２
2012132588.tif 000002
【特許請求の範囲】
【請求項１】
浴槽の湯水を加熱するための風呂熱交換器と、フロースイッチを備えた風呂往き管と、風呂ポンプを備えた風呂戻り管とからなる風呂回路と、給湯を行う給湯回路とを備え、前記給湯回路から湯水を風呂回路に供給する自動風呂運転と、浴槽の湯水を風呂ポンプにて風呂回路で循環させて風呂熱交換器で加熱する追い焚き運転と、風呂回路内の残湯を風呂ポンプにて循環する風呂回路の凍結防止運転とを行う風呂装置に於いて、前記凍結防止運転では風呂ポンプの回転数を設定して凍結防止運転を行い、自動風呂運転又は追い焚き運転では風呂ポンプの駆動電圧を設定して自動風呂運転又は追い焚き運転を行うことを特徴とする風呂装置。
【請求項２】
前記風呂装置は、風呂ポンプを駆動開始してから所定時間経過後に風呂回路内の水流有無を確認して残湯有りと判断した後、凍結防止運転又は風呂自動運転又は追い焚き運転を行うもので、凍結防止運転の時の前記所定時間を風呂自動運転又は追い焚き運転の所定時間よりも長時間に設定したことを特徴とする請求項１記載の風呂装置。
【請求項３】
前記凍結防止運転で残湯有りと判断した後、風呂ポンプの設定回転数を残湯有りと判断する前より低い回転数に再設定することを特徴とする請求項１又は請求項２記載の風呂装置。
【発明の詳細な説明】
【技術分野】
【０００１】
この発明は、浴槽水を循環させて風呂回路の凍結防止運転を行う風呂装置に関するものである。
【背景技術】
【０００２】
従来からこの種のものに於いては、風呂ポンプを駆動して風呂回路内の水を循環させることで風呂循環回路の凍結防止運転を行うものがあるが、その際の風呂ポンプの駆動による騒音を小さくするため、風呂ポンプの駆動電圧を循環水が確保される予め設定された最低電圧に切り換えて運転をし、予め設定されていた最低電圧で風呂ポンプを駆動しても循環水流が検知されないときは、風呂ポンプの駆動電圧を段階的に増大させつつ循環水流の有無を判断し、循環水流が検出されたときの駆動電圧を最低電圧として決定するものがあった。（例えば、特許文献１）
【先行技術文献】
【特許文献】
【０００３】
【特許文献１】特開平８−９４１７０号公報
【発明の概要】
【発明が解決しようとする課題】
【０００４】
ところでこの従来のものでは、凍結防止運転を行う際、予め設定されていた最低電圧で風呂ポンプを駆動しても循環水流が検知されないときは、風呂ポンプの駆動電圧を段階的に増大させつつ循環水流の有無を判断するが、浴槽内に湯水が存在しない場合、風呂ポンプの駆動電圧を段階的に増大させても循環水流が検知されず、最終的には風呂ポンプが最大駆動電圧で駆動されて風呂ポンプの駆動による騒音も大きくなってしまう問題があった。
【課題を解決するための手段】
【０００５】
この発明はこの点に着目し上記課題を解決する為、特にその構成を請求項１では、浴槽の湯水を加熱するための風呂熱交換器と、フロースイッチを備えた風呂往き管と、風呂ポンプを備えた風呂戻り管とからなる風呂回路と、給湯を行う給湯回路とを備え、前記給湯回路から湯水を風呂回路に供給する自動風呂運転と、浴槽の湯水を風呂ポンプにて風呂回路で循環させて風呂熱交換器で加熱する追い焚き運転と、風呂回路内の残湯を風呂ポンプにて循環する風呂回路の凍結防止運転とを行う風呂装置に於いて、前記凍結防止運転では風呂ポンプの回転数を設定して凍結防止運転を行い、自動風呂運転又は追い焚き運転では風呂ポンプの駆動電圧を設定して自動風呂運転又は追い焚き運転を行うものである。
【０００６】
又請求項２に係る風呂装置では、特にその構成を請求項１に於いて、前記風呂装置は、風呂ポンプを駆動開始してから所定時間経過後に風呂回路内の水流有無を確認して残湯有りと判断した後、凍結防止運転又は風呂自動運転又は追い焚き運転を行うもので、凍結防止運転の時の前記所定時間を風呂自動運転又は追い焚き運転の所定時間よりも長時間に設定したものである。
【０００７】
又請求項３に係る風呂装置では、特にその構成を請求項１又は請求項２に於いて、前記凍結防止運転で残湯有りと判断した後、風呂ポンプの設定回転数を残湯有りと判断する前より低い回転数に再設定するものである。
【発明の効果】
【０００８】
この発明の請求項１によれば、凍結防止運転では、風呂ポンプの目標回転数を設定して、風呂ポンプの回転数が目標回転数になるように制御を行うので、風呂ポンプを駆動しても循環水流が検知されない時に風呂ポンプの回転数が上昇せず、風呂ポンプの回転数が上昇することによる騒音が大きくなることがなく、又風呂ポンプの回転数が上昇することによる騒音の音量や音質が変化しないので使用者に不安感を与えることがなく、更に風呂ポンプの回転数が上昇することによる消費電力の増加を抑えることができるものである。
【０００９】
又凍結防止運転で、風呂ポンプの回転数が目標回転数になるように制御を行うことで、凍結防止運転中の風呂回路を循環する循環水量が増加しないので、風呂回路を循環する循環水量が増加することによる浴槽の湯温低下を防止できるものである。
【００１０】
又風呂自動運転又は追い焚き運転では、風呂ポンプの駆動電圧を設定してその設定した駆動電圧になるように制御を行うので、風呂自動運転又は追い焚き運転等の通常での使用では風呂ポンプの能力を落とさずに運転できるものである。
【００１１】
又、本発明の請求項２に記載の風呂装置によれば、風呂ポンプを駆動開始してから所定時間経過後に風呂回路内の水流有無を確認して残湯有りと判断した後、凍結防止運転又は風呂自動運転又は追い焚き運転を行うもので、凍結防止運転の時の前記所定時間を風呂自動運転又は追い焚き運転の所定時間よりも長時間に設定したので、凍結防止運転では風呂回路に残湯がなくても風呂ポンプを長い時間駆動して、風呂ポンプ内に滞留する呼び水の凍結を防止できるものである。
【００１２】
又、本発明の請求項３に記載の風呂装置によれば、前記凍結防止運転で残湯有りと判断した後、風呂ポンプの設定回転数を残湯有りと判断する前より低い回転数に再設定するので、風呂回路を循環する循環水量を減少させ、それにより凍結防止運転による浴槽の湯温の低下を抑えることができるものである。
【図面の簡単な説明】
【００１３】
【図１】この発明の一実施形態を示す風呂装置の概略図。
【図２】同風呂ポンプの制御のフローチャート図。
【発明を実施するための形態】
【００１４】
次に、本発明に係る発明の１実施形態を図面に基づいて説明する。
１は時間帯別契約電力の電力単価が安価な深夜時間帯に湯水を沸き上げて貯湯し、この貯湯した湯水を給湯や風呂に用いる風呂装置で、湯水を貯湯する貯湯タンク２を備えた貯湯タンクユニット３と、貯湯タンク２内の湯水を加熱する加熱手段としてのヒートポンプユニット４とを備え、前記貯湯タンク２内の上部には、浴槽５の湯水を加熱するためのステンレス製の蛇管よりなる風呂熱交換器６が配置されていると共に、この風呂熱交換器６には浴槽５内の湯水の水位を検知する水位センサ７とを備えた風呂往き管８および風呂ポンプ９を備えた風呂戻り管１０よりなる風呂回路１１が接続されて浴槽５の湯水が循環可能にされ、浴槽５内の湯水が貯湯タンク２内の高温水により加熱されて保温あるいは追い焚きが行われるものである。
【００１５】
そして浴槽５への風呂自動運転は、風呂リモコン１２の風呂自動スイッチ１３が操作されると、まず風呂ポンプ９が駆動開始して所定時間後に残湯の検知を行い、残湯があると判断すると風呂ポンプ９を停止して一旦残湯を排水し、残湯の排水完了後、湯張り弁１４が開成されて貯湯タンク２からの高温水と低温の水道水とを給湯混合弁１５で風呂設定温度に混合し、その混合した温水を給湯回路から風呂回路１１に供給して浴槽５に湯張りし、そして風呂流量カウンタ１６が浴槽５の満量をカウントすることで湯張りを終了すると共に、風呂ポンプ９を駆動して、湯張りされた浴槽水を風呂回路１１を循環させ風呂熱交換器６で設定温度まで追い焚きして風呂自動運転が終了されるものである。
【００１６】
また、追い焚き運転は、風呂リモコン１２の追い焚きスイッチ１７を押圧すると、風呂ポンプ９が駆動開始して所定時間後に残湯の検知を行い、残湯があると判断すると、そのまま風呂ポンプ９を駆動して浴槽５内の浴槽水を風呂往き管８から風呂熱交換器６へと送り、ここで貯湯タンク２内上部の高温水との熱交換で浴槽水を加熱して風呂戻り管１０で浴槽５へ戻し、風呂戻り温度センサ１８が風呂設定温度を検出すれば、風呂ポンプ９を停止して追い焚きは終了となるものである。
【００１７】
また、風呂回路１１の凍結防止運転は、風呂往き管８の風呂往き温度センサ１９が浴槽水の温度が所定温度以下になったのを検知すると、風呂回路１１の配管が凍結するおそれがあると判断して、風呂ポンプ９が駆動開始して所定時間後に残湯の検知を行い、残湯があると判断すると、そのまま風呂ポンプ９を駆動して浴槽５内の浴槽水を風呂往き管８から風呂熱交換器６へと送り、ここで貯湯タンク２内上部の高温水との熱交換で浴槽水を加熱して風呂戻り管１０で浴槽５へ戻し、風呂往き温度センサ１９が所定温度以上を検知するか、又は所定時間風呂ポンプ９を駆動したら、風呂ポンプ９を停止して凍結防止運転は終了となるものである。
【００１８】
次に凍結防止運転の時の風呂ポンプ９の制御と、風呂自動運転又は追い焚き運転の時の風呂ポンプ９の制御について、図２のフローチャート図により説明する。
まず凍結防止運転を開始するのかを判断し（Ｓ１）、（Ｓ１）で凍結防止運転を開始すると判断した時、次に風呂ポンプ９の目標回転数を設定する。（Ｓ２）
そして風呂ポンプ９を駆動開始して、風呂ポンプ９の回転数が目標回転数になるようにフィードバック制御を行う。（Ｓ３）
【００１９】
そして風呂ポンプ９を駆動開始してから所定時間経過したら（Ｓ４）、風呂往き管８に設けられているフロースイッチ２１にて水流有無を確認し、フロースイッチ２１の検知がオンの時、残湯があると判断する。（Ｓ５）
【００２０】
（Ｓ５）で残湯無しと判断したら（Ｓ１）に戻り、（Ｓ５）で残湯有りと判断したら  風呂ポンプ９の目標回転数を下げて設定し（Ｓ６）、凍結防止運転が終了したら（Ｓ７）、（Ｓ１）に戻り、（Ｓ７）で凍結防止運転が終了していない時は下げて設定した目標回転数になるように風呂ポンプ９のフィードバック制御を行い（Ｓ８）、（Ｓ７）に戻るものである。
【００２１】
又、（Ｓ１）で凍結防止運転を開始しないと判断した時、次に風呂自動運転又は追い焚き運転を開始するのかを判断し（Ｓ９）、（Ｓ９）で風呂自動運転又は追い焚き運転を開始すると判断した時、次に風呂ポンプ９の駆動電圧を設定する。（Ｓ１０）
そして風呂ポンプ９を駆動開始して、風呂ポンプ９の駆動電圧が設定した駆動電圧になるようにフィードフォワード制御を行う。（Ｓ１１）
そして風呂自動運転又は追い焚き運転が終了したら（Ｓ１２）、（Ｓ１）に戻り、（Ｓ１２）で風呂自動運転又は追い焚き運転が終了していない時は、（Ｓ１１）に戻るものである。
【００２２】
以上のように、凍結防止運転では、風呂ポンプ９の目標回転数を設定して、風呂ポンプ９の回転数が目標回転数になるようにフィードバック制御を行うので、風呂ポンプ９を駆動しても循環水流が検知されない時に風呂ポンプ９の回転数が上昇せず、風呂ポンプ９の回転数が上昇することによる騒音が大きくなることがなく、又風呂ポンプ９の回転数が上昇することによる騒音の音量や音質が変化しないので使用者に不安感を与えることがなく、更に風呂ポンプ９の回転数が上昇することによる消費電力の増加を抑えることができるものである。
【００２３】
又凍結防止運転で、風呂ポンプ９の回転数が目標回転数になるようにフィードバック制御を行うことで、凍結防止運転中の風呂回路１１を循環する循環水量が増加しないので、風呂回路１１を循環する循環水量が増加することによる浴槽５の湯温低下を防止できるものである。
【００２４】
又風呂自動運転又は追い焚き運転では、風呂ポンプ９の駆動電圧を設定してその設定した駆動電圧になるようにフィードフォワード制御を行うので、風呂自動運転又は追い焚き運転等の通常での使用では風呂ポンプ９の能力を落とさずに運転できるものである。
【００２５】
又凍結防止運転の時の残湯確認で、風呂ポンプ９を駆動開始してから所定時間経過したらフロースイッチ２１にて水流有無を確認する時の前記所定時間を、風呂自動運転又は追い焚き運転の時の残湯確認で、風呂ポンプ９を駆動開始してから所定時間経過したらフロースイッチ２１にて水流有無を確認する時の前記所定時間より長い時間にする、例えば凍結防止運転の時の所定時間を４分、風呂自動運転又は追い焚き運転の時の所定時間を１分とすることで、風呂回路１１に残湯がなくても風呂ポンプ９を長い時間駆動して、風呂ポンプ９内に滞留する呼び水の凍結を防止できるものである。
【００２６】
又凍結防止運転の時の残湯確認で残湯有りと判断したら  風呂ポンプ９の目標回転数を下げて設定することで、風呂回路１１を循環する循環水量を減少させ、それにより凍結防止運転による浴槽５の湯温の低下を抑えることができるものである。
【符号の説明】
【００２７】
５  浴槽
６  風呂熱交換器
８  風呂往き管
９  風呂ポンプ
１０  風呂戻り管
１１  風呂回路
２１  フロースイッチ
【図１】
2012132588.tif 000003
【図２】
2012132588.tif 000004